(57)【要約】【課題】夜間における視認性が良好で、摩擦により再帰性反射材が損耗したり、反射テープが剥離したりしにくく、しかも簡便に製造することができる衣服用反射帯を提供する。【解決手段】帯状の再帰性反射材からなる反射テープ２と、該反射テープ２を固定する基材３とからなり、基材３は、梯子の縦木に相当する左右一対の縦補強部３１、３２と、該左右一対の縦補強部３１、３２を連結し梯子の横木に相当する複数の横補強部３３とを備えており、前記縦補強部３１、３２は、複数本の経糸及び緯糸によって織成される織布であり、前記横補強部３３は、前記経糸及び緯糸のいずれか一方の複数の織糸から構成され、前記反射テープ２は、前記横補強部３３によって基材３に固定されることを特徴とする梯子模様の衣服用反射帯１により、上記の課題を解決する。【選択図】図１
2014201860.tif 000002
【特許請求の範囲】
【請求項１】
帯状の再帰性反射材からなる反射テープと、該反射テープを固定する基材とからなり、
基材は、梯子の縦木に相当する左右一対の縦補強部と、該左右一対の縦補強部を連結し梯子の横木に相当する複数の横補強部とを備えており、
前記縦補強部は、経糸及び緯糸によって織成される織布であり、
前記横補強部は、前記経糸及び緯糸のいずれか一方の複数の織糸から構成され、
前記反射テープは、前記横補強部によって基材に固定されることを特徴とする梯子模様の衣服用反射帯。
【請求項２】
横補強部を構成する経糸及び緯糸のいずれか一方の複数の織糸は、複数本の織糸が群をなして、一群の織糸が反射テープの表面又は裏面を交互に通過する請求項１に記載の梯子模様の衣服用反射帯。
【請求項３】
反射テープの反射面の表面は、前記基材の表面よりも厚み方向に低い位置に配置される請求項１又は２に記載の梯子模様の衣服用反射帯。
【請求項４】
反射テープの反射面と横補強部とが、衣服用反射帯の長手方向に交互に連続して配置される請求項１ないし３のいずれかに記載の梯子模様の衣服用反射帯。
【発明の詳細な説明】
【技術分野】
【０００１】
本発明は、反射テープと反射テープを固定する基材とからなる梯子模様の衣服用反射帯に関する。
【背景技術】
【０００２】
夜間においては歩行者や自転車の運転者の位置を自動車の運転手に知らせるために反射帯が用いられる。反射帯には、光を光源に向けて反射する再帰性反射材が使用される。
【０００３】
再帰性反射材としては、複数の微小なガラスビーズを基材に固定したものや、反射面に微小な凹凸を形成したプリズムが用いられる。ガラスビーズやプリズムは摩擦に対して弱いことから、特許文献１のように透明な樹脂層（符号３）で再帰性反射材の表面を保護する。しかし、樹脂層は経年変化により色が黄ばんだり、樹脂層が基材から剥離したり、傷により視認性が低下することがあった。
【０００４】
特許文献２には、帯状布基材の凹溝に、帯状反射材を嵌め込んでなる衣服用装飾帯が開示されている。帯状反射材は凹溝に嵌め込まれた後に凹溝に接着して、糸（符号１３）を左右の凸部に掛け渡す。この衣服用装飾帯は、基材と反射材を固定するための工程が多く煩雑である。また、反射材が露出している面積が大きく反射材が摩耗しやすい。更には糸が摩擦により切れるおそれもあった。
【先行技術文献】
【特許文献】
【０００５】
【特許文献１】特開２００２−１６９００９号公報
【特許文献２】特開２０１２−０２１２４３号公報
【発明の概要】
【発明が解決しようとする課題】
【０００６】
夜間における視認性が良好で、摩擦により再帰性反射材が損耗したり、反射テープが剥離したりしにくく、しかも簡便に製造することができる衣服用反射帯を提供する。
【課題を解決するための手段】
【０００７】
帯状の再帰性反射材からなる反射テープと、該反射テープを固定する基材とからなり、基材は、梯子の縦木に相当する左右一対の縦補強部と、該左右一対の縦補強部を連結し梯子の横木に相当する複数の横補強部とを備えており、前記縦補強部は、経糸及び緯糸によって織成される織布であり、前記横補強部は、前記経糸及び緯糸のいずれか一方の複数の織糸から構成され、前記反射テープは、前記横補強部によって基材に固定されることを特徴とする梯子模様の衣服用反射帯によって、上記の課題を解決する。
【０００８】
本発明の衣服用反射帯は、一本の糸に比べて幅広な横補強部によって、反射テープと基材の縦補強部とを固定する。横補強部は、複数本の経糸又は複数本の緯糸によって形成されるものであり、縦補強部を構成する経糸及び緯糸のいずれか一方を、横補強部を構成する複数の糸として利用するものである。横補強部は複数本の織糸からなるため、一本の糸で反射テープを固定するよりも摩擦に強く確実に反射テープを固定することができる。しかも横補強部は広い範囲で反射テープを覆うため、反射テープが損耗しにくい。
【０００９】
上述のように、左右一対の縦補強部を構成する経糸及び緯糸のいずれか一方の織糸を横補強部として利用し反射テープを固定する。例えば、左及び右の縦補強部を経緯糸を使用して織成し、左右の縦補強部に介在する中央部分は経糸を省略して緯糸のみで構成する。そして、反射テープは当該緯糸によって固定する。この場合、左の縦補強部を構成する複数の経糸、反射テープ、及び右の縦補強部を構成する複数の経糸を左から右へと記載した順に配置し、そこに一本の連続した緯糸を通して容易に反射テープを基材に織りこむことができる。緯糸を通す際には、反射テープの表面又は裏面を交互に複数本の緯糸の群が通過するようにすることで、反射テープを基材に固定することができる。すなわち、後述する図２に示したように、横補強部を構成する経糸及び緯糸のいずれか一方の複数の織糸は、複数本の織糸が群をなして、一群の織糸が反射テープの表面又は裏面を交互に通過するのである。
【００１０】
上述のように反射テープは、基材に織り込まれる。したがって、反射テープの反射面の表面は、基材の表面よりも厚み方向に低い位置に配置されることとなる。したがって、反射テープの反射面は摩擦にさらされにくく、損耗しにくい。
【００１１】
上述のように横補強部を構成する経糸及び緯糸のいずれか一方の織糸は、複数本の織糸が群をなして、一群の織糸が反射テープの表面又は裏面を交互に通過するため、反射テープの反射面と横補強部とが衣服用反射帯の長手方向に交互に連続してあらわれる。反射面と横補強部は長手方向に交互に配置されるため、横補強部は光の反射を妨げない。光源から光を照射すると光源に向けて光が反射し、１本の光の線を視認させることができる。
【発明の効果】
【００１２】
本発明の衣服用反射帯は、基材の縦補強部を構成する複数の経糸及び緯糸のいずれか一方を、横補強部として利用するものである。したがって、反射テープを、基材を織る際に織り込むことができるため、その製造が簡単である。横補強部は梯子模様を形成し、光源から光を照射すると光源に向けて光が反射し、一本の線のように見える。反射テープは織り込まれているため、反射面が基材表面よりも低い位置に配置される。したがって、反射面は摩擦にさらされにくく損耗しにくい。
【図面の簡単な説明】
【００１３】
【図１】本発明の衣服用反射帯の一実施例の平面視を模式的に示した図である。
【図２】図１のＡ−Ａ部分の断面を拡大して模式的に示した図である。
【図３】本発明の衣服用反射帯に光を照射して再帰光を撮影した写真である。
【図４】本発明の衣服用反射帯に光を照射する前の状態を撮影した写真である。
【発明を実施するための形態】
【００１４】
以下、図面を参照して発明を実施するための形態について説明する。図１には、本発明の衣服用反射帯の一実施例の平面視を模式的に示した。図２には、図１のＡ−Ａ部分の断面を拡大して示した。
【００１５】
図１に示したように、本発明の衣服用反射帯１（以下、単に反射帯と称する）は平面から見た際に梯子模様を有する。図視は省略するが底面から見た際も梯子模様が現れる。図１の反射帯１は、帯状の再帰性反射材からなる反射テープ２と当該反射テープ２を固定するための基材３とからなる。
【００１６】
基材３は、左右一対の縦補強部３１、３２と、当該縦補強部３１、３２を連結する横補強部３３とを備える。梯子に例えると、縦補強部３1、３２は梯子の縦木に相当し、横補強部３３は梯子の横木に相当する。縦補強部３１、３２は経緯糸からなる織布から構成され、横補強部３３は縦補強部３１、３２を構成する経糸及び緯糸のうちいずれか一方の織糸から構成される。図１及び図２に示した反射帯１の横補強部３３は、図２の断面図に示したように、縦補強部３１、３２を構成する複数の緯糸４の群から構成される。図２では奥側にある右の縦補強部３２から手前にある左の縦補強部３１に複数本の緯糸４が伸びている。図２では、１６本の緯糸４が一群をなしているが、緯糸の繊度に応じて本数は変更すればよい。また、緯糸４は一本の連続した糸を織布の左右端で折り返えして織成してもよいし、複数本の緯糸を使用してもよい。図１及び２の例では、１本の連続する緯糸４を使用したが、図２の断面図では、作図の都合上から複数本の緯糸４のように見える。
【００１７】
図２の断面図に示したように、反射テープ２の反射面２１の表面は、基材３（図２では符号３２）の表面よりも反射帯１の厚み方向に低い位置にあり、基材３の裏面からみると反射体１の厚み方向に高い位置にある。すなわち、反射テープ２は基材３の表裏面から控えた位置にあるため、反射テープ２は摩擦によって損耗しにくい。
【００１８】
反射テープ２の反射面２１と横補強部３３とは、衣服用反射帯１の長手方向に交互に連続して配置される。このため、光源から光を照射した場合、横補強部３３はほとんど視認されず、反射面２１からの再帰光が視認され、連続する一本の光の線のように見える。反射面２１及び横補強部３３は同程度の面積を有する正方形として、反射面２１及び横補強部３３を交互に配置するとよい。このようにすれば、横補強部３３によって反射面２１の光の反射が妨げられず、再帰光によって１本の光の線に見える。
【００１９】
基材３は、経緯糸を用いて織成する。基材３を構成する経糸又は緯糸が反射テープ２を横切る配置となる織組織であればよい。例えば、平織、綾織等の組織を採用することができる。上述のように反射テープ２の反射面２１が、基材３の表面よりも少し低い位置になるようにするために、基材３は反射テープ２よりも厚みのある織布とする。なお、図１及び２の例では、経糸を反射帯１の長手方向に沿うように配置したが、織成する際に縦横を入れ替えて緯糸が長手方向に沿うようにしてもよい。この場合は、図２において符号４で示した緯糸４を経糸に読み替えた断面となる。すなわち、複数本の経糸を反射体１の長手方向に直交するように配置して、長手方向に沿って緯糸を通す。このとき、経糸は図２に示したように一群の経糸が反射テープ２の表面と裏面を交互に通過するように配置する。緯糸は、長手方向に沿って配される反射テープ２によって図２の奥側と手前側に分断されるため、連続する緯糸を使用する場合は２本の緯糸を使用する。
【００２０】
反射テープ２には、複数のガラスビーズを反射面に配置した再帰性反射材や、プリズムを採用することができる。反射面の裏面に織布等からなる補強層を貼着してもよい。
【実施例】
【００２１】
以下、本発明の実施例を挙げて更に具体的に説明する。
【００２２】
反射面に複数の微小なガラスビーズを固定してなる反射テープを、ポリエステル製の経緯糸を使用して、基材に織り込んだ。使用した反射テープは幅１．０ｍｍｍで、裏面には織布からなる補強層が貼着されている。反射テープの厚みは補強層を含めて０．３mmである。この反射テープの両脇にポリエステル製の経糸を複数本配置して、緯糸には同じくポリエステル製の糸を使用して、綾織で縦補強部を織成した。緯糸は、１本の織糸を織布の左右端で折り返し、図２に示したように反射テープの表面と裏面を複数の緯糸の群が交互に通過するようにした。反射面一つあたりの寸法は１．０ｍｍ×１．０ｍｍである。同様に、横補強部の一つあたりの寸法も１．０ｍｍ×１．０ｍｍである。このようにして織成された基材の厚みは、０．５ｍｍである。縦補強部の幅は、一本あたり１．２ｍｍである。
【００２３】
上記のようにして製造されたセーラー服用の反射帯を３０ｃｍ程度の長さに切って、３本並べて光源から光を照射して、再帰光を撮影した。その写真を図３に示す。
【００２４】
図３に示したように、横補強部は反射テープによる光の反射を阻害せず、連続した１本の光の線があらわれることが確認できた。比較のために、図４に光源から光を照射する前の状態を撮影した写真を示す。このセーラー服用の反射帯をセーラー服に縫い付けて使用してみたところ、使用や洗濯により反射性能が簡単に低下することはなく、長期にわたって良好な反射性能が維持された。また、反射テープは横補強部によって固定されているので、基材から反射テープが剥離して脱落することもなかった。
【符号の説明】
【００２５】
１      衣服用反射帯（反射帯）
２      反射テープ
２１    反射面
３      基材
３１    右の縦補強部
３２    左の縦補強部
３３    横補強部
４      緯糸
【図１】
2014201860.tif 000003
【図２】
2014201860.tif 000004
【図３】
2014201860.tif 000005
【図４】
2014201860.tif 000006